(57)【特許請求の範囲】
【請求項１】
筐体からなる室内機本体と、
該室内機本体の上範囲に設けられた吸込口と、
前記室内機本体の下範囲に設けられた吹出口と、
前記室内機本体内に配置され、前記吸込口から前記吹出口に至る風流れを形成する送風ファンと、
該送風ファンと前記吹出口との間に配置された風路後壁と、該風路後壁の前記吹出口に近い範囲に対向した風路前壁と、該風路前壁の左右方向の一方の端部に一体的に形成された風路端壁と、前記風路前壁の左右方向の他方の端部に設置されたモーター箱と、によって形成された吹出側風路と、
前記吹出口に配置された上下風向板と、
前記送風ファンと前記吸込口との間に配置された空気調和手段と、
を有し、
前記上下風向板には、左右方向の両端部に風向板軸または風向板軸受が設けられ、
前記上下風向板の一方の端部に設けられた風向板軸または風向板軸受は、前記風路端壁に設けられた端壁軸受または端壁軸に揺動自在に支持され、
前記モーター箱は、モーター基板と、該モーター基板に一体的に形成されたモーター収納部とを具備し、
前記上下風向板の他方の端部に設けられた風向板軸または風向板軸受は、前記モーター箱のモーター収納部に設けられたモーター箱軸受またはモーター箱軸に接続され、前記モーター収納部の壁面に揺動自在に支持され、
前記モーター箱のモーター基板の端部は前記風路前壁の端部に当接され、前記モーター箱の設置位置が調整自在に設置されていることを特徴とする空気調和機の室内機。
【請求項２】
前記上下風向板は断面略円弧状の板であって、左右方向の両端部に凹面側に突出した支持腕が形成され、該支持腕に前記風向板軸または風向板軸受が設けられていることを特徴とする請求項１記載の空気調和機の室内機。
【請求項３】
前記モーター箱は、前記風路前壁に着脱自在に設置されていることを特徴とする請求項１または２記載の空気調和機の室内機。
【請求項４】
筐体からなる室内機本体と、
該室内機本体の上範囲に設けられた吸込口と、
前記室内機本体の下範囲に設けられた吹出口と、
前記室内機本体内に配置され、前記吸込口から前記吹出口に至る風流れを形成する送風ファンと、
該送風ファンと前記吹出口との間に配置された風路後壁と、該風路後壁の前記吹出口に近い範囲に対向した風路前壁と、該風路前壁の左右方向の左端部に設置された左モーター箱と、前記風路前壁の左右方向の右端部に設置された右モーター箱と、によって形成された吹出側風路と、
前記風路前壁の左右方向の略中央に設置された中間支持体と、
前記吹出口の左右方向の左側に配置された左上下風向板と、
前記吹出口の左右方向の右側に配置された右上下風向板と、
前記送風ファンと前記吸込口との間に配置された空気調和手段と、
を有し、
前記左上下風向板には、左右方向の両端部にそれぞれ左風向板軸または左風向板軸受が設けられ、
前記右上下風向板には、左右方向の両端部にそれぞれ右風向板軸または右風向板軸受が設けられ、
前記左モーター箱は、左モーター基板と、該左モーター基板に一体的に形成された左モーター収納部とを具備し、かつ、前記右モーター箱は、右モーター基板と、該右モーター基板に一体的に形成された右モーター収納部とを具備し、
前記左上下風向板の左端部に設けられた左風向板軸または左風向板軸受は、前記左モーター箱の左モーター収納部に設けられた左モーター箱軸受または左モーター箱軸に接続され、前記左モーター収納部の壁面に揺動自在に支持され、
前記左上下風向板の右端部に設けられた左風向板軸または左風向板軸受は、前記中間支持体に設けられた左支持軸受または左支持軸に揺動自在に支持され、
前記右上下風向板の左端部に設けられた右風向板軸または右風向板軸受は、前記中間支持体に設けられた右支持軸受または右支持軸に揺動自在に支持され、
前記右上下風向板の右端部に設けられた右風向板軸または右風向板軸受は、前記右モーター箱の右モーター収納部に設けられた右モーター箱軸受または右モーター箱軸に接続され、前記右モーター収納部の壁面に揺動自在に支持され、
前記左モーター箱の左モーター基板の端部は前記風路前壁の左端部に当接され、前記左モーター箱の設置位置が調整され、かつ、前記右モーター箱の右モーター基板の端部は前記風路前壁の右端部に当接され、前記右モーター箱の設置位置が調整自在に設置されていることを特徴とする空気調和機の室内機。
【請求項５】
前記左上下風向板は断面略円弧状の板であって、左右方向の両端部にそれぞれ凹面側に突出した左風向板腕が形成され、該左風向板腕に前記左風向板軸または左風向板軸受が設けられ、
前記右上下風向板は断面略円弧状の板であって、左右方向の両端部にそれぞれ凹面側に突出した右風向板腕が形成され、該右風向板腕に前記右風向板軸または右風向板軸受が設けられていることを特徴とする請求項４に記載の空気調和機の室内機。
【請求項６】
前記左モーター箱または前記右モーター箱の少なくとも一方が、前記風路前壁に着脱自在に設置されていることを特徴とする請求項４または５に記載の空気調和機の室内機。
【請求項７】
前記中間支持体は、前記風路前壁の左右方向の略中央に着脱自在に設置されることを特徴とする請求項４〜６の何れかに記載の空気調和機の室内機。
【発明の詳細な説明】
【技術分野】
【０００１】
本発明は空気調和機の室内機、特に、吹出口に上下風向板が設置されている空気調和機の室内機に関する。
【背景技術】
【０００２】
従来、空気調和機の室内機において、送風ファンの下流側の風路は、所定の間隔を空けて配置された風路前壁および風路後壁と、風路前壁の端部と風路後壁の端部との間を塞ぐ一対の風路端壁と、から構成された枠体（本発明において「吹出グリル」と称す場合がある）である。そして、風路の終端（吹出グリルの終端）である吹出口には、調和空気の上下方向の吹出方向を調整する上下風向板（フラップに同じ）が傾動自在に設置されている。
一対の風路端壁は、風路前壁の両方の端部にそれぞれ一体的に形成され、上下風向板軸を揺動自在に支持するための軸受あるいは軸が設けられている（例えば、特許文献１参照）。
【先行技術文献】
【特許文献】
【０００３】
【特許文献１】特開２０１０−１２１８７３号公報（第７頁、図４）
【発明の概要】
【発明が解決しようとする課題】
【０００４】
しかしながら、特許文献１に記載された発明は、上下風向板（フラップ）の両端部に支持部が設けられ、該支持部には側方に突出した支軸（フラップ支軸）が設けられている。そして、支軸は、風路端壁に設けられた軸受に挿通され、揺動自在に支持されている。
このとき、一対の風路端壁は風路前壁の両方の端部にそれぞれ連なって、一体的にプラスチックスの射出成形によって形成されるため、成形金型の精度不良や射出成形後の変形等によって、例えば、風路前壁が反ったり、捩れたりした場合、一対の風路端壁のそれぞれに設けられた軸受の位置精度が悪化するという問題があった。
すなわち、軸受の位置精度の悪化によって、上下風向板の傾動（揺動）が円滑でなくなるため、上下風向板の傾動動作が不自然になるおそれがあった。また、特に、上下風向板が複数枚である場合には、両者の相対位置関係が乱れるため、上下風向板の側縁部の重なりが不均一になったり、上下風向板の側縁部同士の隙間が不均一になったりして、室内機の外観の意匠性が阻害されるおそれがあった。
このため、風路前壁が反ったり、捩れたりした場合には、一対の風路端壁に設けられた軸受同士が正規の位置になるように、成形金型を修正したり、再製作したりする必要があったため、製造コスト（成形金型コスト）が高価になると共に、工期が延長する場合があった。
【０００５】
本発明は、上記のような問題を解決するためになされたもので、成形金型の精度不良や射出成形後の変形等がある場合でも、上下風向板（フラップ）を正規の位置に精度良く支持することができる支持機構を有する空気調和機の室内機を得るものである。
【課題を解決するための手段】
【０００６】
本発明に係る空気調和機の室内機は、筐体からなる室内機本体と、該室内機本体の上範囲に設けられた吸込口と、前記室内機本体の下範囲に設けられた吹出口と、前記室内機本体内に配置され、前記吸込口から前記吹出口に至る風流れを形成する送風ファンと、該送風ファンと前記吹出口との間に配置された風路後壁と、該風路後壁の前記吹出口に近い範囲に対向した風路前壁と、該風路前壁の左右方向の一方の端部に一体的に形成された風路端壁と、前記風路前壁の左右方向の他方の端部に設置されたモーター箱と、によって形成された吹出側風路と、前記吹出口に配置された上下風向板と、前記送風ファンと前記吸込口との間に配置された空気調和手段と、を有し、前記上下風向板には、左右方向の両端部に風向板軸または風向板軸受が設けられ、前記上下風向板の一方の端部に設けられた風向板軸または風向板軸受は、前記風路端壁に設けられた端壁軸受または端壁軸に揺動自在に支持され、前記モーター箱は、モーター基板と、該モーター基板に一体的に形成されたモーター収納部とを具備し、前記上下風向板の他方の端部に設けられた風向板軸または風向板軸受は、前記モーター箱のモーター収納部に設けられたモーター箱軸受またはモーター箱軸に接続され、前記モーター収納部の壁面に揺動自在に支持され、前記モーター箱のモーター基板の端部は前記風路前壁の端部に当接され、前記モーター箱の設置位置が調整自在に設置されていることを特徴とする。
【発明の効果】
【０００７】
本発明に係る空気調和機の室内機は、上下風向板の一方の端部に設けられた風向板軸または風向板軸受が、風路前壁に一体的に形成された風路端壁に設けられた端壁軸受または端壁軸に揺動自在に支持され、上下風向板の他方の端部に設けられた風向板軸または風向板軸受が、風路前壁に設置されたモーター箱に形成されたモーター箱軸受またはモーター箱軸に揺動自在に支持される。
したがって、風路前壁が反ったり、捩れたりした場合でも、風路端壁に設けられた端壁軸受または端壁軸に対して、モーター箱に形成されたモーター箱軸受またはモーター箱軸が正規の位置になるように、モーター箱を風路前壁に設置することができる。すなわち、風路前壁が反ったり、捩れたりした場合、本発明では成形金型を修正したり、再製作する必要がないから、製造コスト（成形金型コスト）が安価になる。
【図面の簡単な説明】
【０００８】
【図１】本発明の実施の形態１に係る空気調和機の室内機を示す斜視図と断面図。
【図２】図１に示す室内機の全体を分解して示す斜視図。
【図３】図１に示す室内機の一部（吹出風路、上下風向板）を示す斜視図。
【図４】図１に示す室内機の一部（右モーター箱）を左から見た斜視図。
【図５】図１に示す室内機の一部（中間支持体）を示す斜視図。
【図６】図１に示す室内機の上下風向板の設置要領を示す斜視図。
【発明を実施するための形態】
【０００９】
［実施の形態１］
図１〜図６は本発明の実施の形態１に係る空気調和機の室内機を説明するものであって、図１の（ａ）は全体を模式的に示す斜視図、図１の（ｂ）は側面視の断面を示す断面図、図２は全体を分解して示す斜視図、図３の（ａ）は一部（吹出風路）を示す斜視図、図３の（ｂ）および（ｃ）は一部（上下風向板）を示す斜視図、図４の（ａ）は一部（右モーター箱）を左から見た斜視図、図４の（ｂ）は一部（右モーター箱）を右から見た斜視図、図５は一部（中間支持体）を示す斜視図、図６の（ａ）および（ｂ）は上下風向板の設置要領を示す斜視図である。
なお、各図は模式的に描いたものであって、各部材の形状や大きさは図示する形態に限定するものではない。また、各図において同じ部分または相当する部分には同じ符号を付し、一部の説明を省略する場合がある。
【００１０】
（筐体）
図１の（ａ）および（ｂ）において、空気調和機の室内機（以下、単に「室内機」と称す）１００は、筐体１０と、筐体１０内に設置された熱交換器２０および送風ファン３０と、を有している。
筐体１０は、筐体上面１１、筐体後面１２、筐体下面１３、筐体前面１４、及び筐体端面１５Ｌ、１５Ｒとを有し、筐体上面１１に室内空気を吸い込む吸込口１６と、筐体下面１３と筐体前面１４との間に調和空気を吹き出す吹出口１７が形成されている。また、筐体前面１４には意匠パネル１９が設置されている。
熱交換器２０は、側面視において略Λ（ラムダ）字状に配置された、熱交換器前部分２０ａと熱交換器後部分２０ｂとから形成され、それぞれの下方には前ドレン受け２１ａおよび後ドレン受け２１ｂが配置されている。
【００１１】
（吹出風路）
前ドレン受け２１ａの下方には、前ドレン受け２１ａの底面と略平行に風路前壁３１が配置され、風路前壁３１の前縁が筐体前面１４の下縁に当接している。また、送風ファン３０の後面寄りから吹出口１７にかけて風路後壁３２が設置されている。また、筐体端面１５Ｒ、１５Ｌそれぞれに平行に左モーター箱７０Ｌおよび右モーター箱７０Ｒが配置されている（図２参照）。
したがって、風路前壁３１、風路後壁３２、左モーター箱７０Ｌおよび右モーター箱７０Ｒによって、断面矩形状の吹出風路３３が形成され、吹出風路３３の下端部が吹出口１７になっている。すなわち、送風ファン３０によって、吸込口１６から吹出風路３３を経由して吹出口１７に至る風流れが形成される。また、吸込口１６と熱交換器２０との間に、集塵用のフィルター１８が設置され、吸い込まれた空気に含まれた塵埃を除去し、各部への埃等の付着を防止すると共に、清浄な調和空気を吹き出すようにしている。
【００１２】
（風路前壁）
図３の（ａ）において、風路前壁３１の左右方向の左端部には左モーター箱７０Ｌが設置されるため、左モーター基板７１Ｌの左モーター基板端部７４Ｌが当接する前壁左端部３１Ｌが形成され、風路前壁３１の左右方向の右端部には右モーター箱７０Ｒが設置されるため、右モーター基板７１Ｒの右モーター基板端部７４Ｒが当接する前壁右端部３１Ｒが形成されている。
また、風路前壁３１の左右方向の中央部には中間支持体８０が設置されるため、支持体基部８１が当接する前壁支持体設置部３１Ｃが形成されている。
【００１３】
さらに、前壁左端部３１Ｌと前壁支持体設置部３１Ｃとの左右方向の略中央には左前壁支持腕３４Ｌａおよび左後壁支持腕３４Ｌｂが立設され、左前壁支持腕３４Ｌａには、左前上下風向板５０Ｌａの左右方向の略中央に設けられた左前風向板軸５５Ｌａを揺動自在に支持する左前壁支持軸受３５Ｌａが設けられ、左後壁支持腕３４Ｌｂには、左後上下風向板５０Ｌｂの左右方向の略中央に設けられた左後風向板軸５５Ｌｂを揺動自在に支持する左後壁支持軸受３５Ｌｂが設けられている。
また、前壁右端部３１Ｒと前壁支持体設置部３１Ｃとの左右方向の略中央には、右前壁支持腕３４Ｒａおよび右後壁支持腕３４Ｒｂが立設され、右前壁支持腕３４Ｒａには、右前上下風向板５０Ｒａの左右方向の略中央に設けられた右前風向板軸５５Ｒａを揺動自在に支持する右前壁支持軸受３５Ｒａが設けられ、右後壁支持腕３４Ｒｂには、右後上下風向板５０Ｒｂの左右方向の略中央に設けられた右後風向板軸５５Ｒｂを揺動自在に支持する右後壁支持軸受３５Ｒｂが設けられている。
【００１４】
（左右風向板）
さらに、吹出風路３３の左右方向の左側には左側左右風向板４０Ｌが設置され、吹出風路３３の左右方向の右側には右側左右風向板４０Ｒが設置されている。
左側左右風向板４０Ｌと右側左右風向板４０Ｒとは面対称の構成であるから、共通する内容については、名称の「左側、右側」や符号の添え字「Ｒ、Ｌ」の記載を省略し、重複する説明を省略する場合がある。
左右風向板４０は風路前壁３１に揺動自在に設置され、左右方向に並設された複数枚の羽根４１を有し、斜め下方に向かう回転軸４２を中心に所定角度だけ回転（揺動）されることによって、吹出風路３３を流れる調和空気の吹出方向を左右方向の所定方向に案内している。
【００１５】
（上下風向板）
吹出口１７の左右方向の左側には、調和空気を上下方向の所定方向に吹き出すように案内する左前上下風向板５０Ｌａおよび左後上下風向板５０Ｌｂ（以下、まとめて又はそれぞれを「左上下風向板５０Ｌ」と称す場合がある）が配置され、吹出口１７の左右方向の右側には、調和空気を上下方向の所定方向に吹き出すように案内する右前上下風向板５０Ｒａおよび右後上下風向板５０Ｒｂ（以下、まとめて又はそれぞれを「右上下風向板５０Ｒ」と称す場合がある）が配置されている（図１参照）。
【００１６】
図３の（ｂ）および（ｃ）において、左前上下風向板５０Ｌａと右前上下風向板５０Ｒａとは吹出口１７の前面寄りで、鉛直面に対して略対称の構造であって、互いに対称に配置されている。同様に、左後上下風向板５０Ｌｂと右後上下風向板５０Ｒｂとは吹出口１７の後面寄りで、鉛直面に対して互いに略対称形の構造であって、互いに対称に配置されている。したがって、左前上下風向板５０Ｌａ、左後上下風向板５０Ｌｂ、右前上下風向板５０Ｒａおよび右後上下風向板５０Ｒｂにおける共通または相当する内容については、名称の「左、右、前、後」や符号の添え字「Ｒ、Ｌ、ａ、ｂ」の記載を省略して、重複する説明を省略する場合がある。
【００１７】
左上下風向板５０Ｌ（左前上下風向板５０Ｌａおよび左後上下風向板５０Ｌｂ）は、断面略円弧状の左板部５１Ｌと、左板部５１Ｌの凹面側に設置された左風向板腕５２Ｌ（左前風向板腕５２Ｌａおよび左後風向板腕５２Ｌｂ、以下同様）、５４Ｌ、５６Ｌと、左風向板腕５２Ｌおよび左風向板腕５４Ｌ、５６Ｌにはそれぞれ設けられた左風向板軸受５３Ｌ（左前風向板軸受５３Ｌａおよび左後風向板軸受５３Ｌｂ、以下同様）および左風向板軸５５Ｌ、５７Ｌと、を具備している。
このとき、左風向板腕５２Ｌは左板部５１Ｌの左端に近い位置に、左風向板腕５４Ｌは左板部５１Ｌの左右方向の略中央に、左風向板腕５６Ｌは左板部５１Ｌの右端に近い位置に、それぞれ左板部５１Ｌと一体的に成形されている。
右上下風向板５０Ｒ（右前上下風向板５０Ｒａおよび右後上下風向板５０Ｒｂ）は、前記のように左上下風向板５０Ｌと略対称形の構造であって、断面略円弧状の右板部５１Ｒと、右板部５１Ｒの左端に近い位置に一体的に成形された右風向板腕５６Ｒと、右板部５１Ｒの左右方向の略中央に一体的に成形された右風向板腕５４Ｒと、右板部５１Ｒの右端に近い位置に一体的に成形された右風向板腕５２Ｒと、を有している。そして、右風向板腕５６Ｒ、５４Ｒおよび右風向板腕５２Ｒには、それぞれ右風向板軸５７Ｒ、５５Ｒおよび右風向板軸受５３Ｒが設けられている。
【００１８】
（モーター箱）
図４において、右モーター箱７０Ｒは、断面略円弧状の板である右モーター基板７１Ｒと、右前上下風向板５０Ｒａを揺動駆動する右前駆動モーター７２Ｒａを収納する右前モーター収納部７３Ｒａと、右後上下風向板５０Ｒｂを揺動駆動する右後駆動モーター７２Ｒｂを収納する右後モーター収納部７３Ｒｂとを具備する。このとき、右前モーター収納部７３Ｒａと右後モーター収納部７３Ｒｂとは、右モーター基板７１Ｒの凹面側の面に、所定の間隔を空けて一体的に成形されている。
右モーター基板７１Ｒの左右方向の左側の端部である右モーター基板端部７４Ｒは、風路前壁３１の左右方向の右側の端部である前壁右端部３１Ｒに当接し、右モーター基板７１Ｒの凹面側の面と風路前壁３１の凹面側の面とは、略滑らかに繋がる。そして、右モーター基板７１Ｒの右モーター基板端部７４Ｒに近い凸面側の面には、設置用ボルト孔７６Ｒが形成された設置用フランジ７５Ｒが設けられている。
【００１９】
そして、右前駆動モーター７２Ｒａの右前駆動軸（揺動軸に同じ）７７Ｒａは右前モーター収納部７３Ｒａの壁面に揺動自在に支持され、その先端は右前上下風向板５０Ｒａの右前風向板軸受５３Ｒａに相対回転（揺動）不能に接続可能になっている。
同様に、右後駆動モーター７２Ｒｂの右後駆動軸（揺動軸に同じ）７７Ｒｂは右後モーター収納部７３Ｒｂの壁面に揺動自在に支持され、その先端は右後上下風向板５０Ｒｂの右後風向板軸受５３Ｒｂに相対回転（揺動）不能に接続可能になっている。
一方、左モーター箱７０Ｌは、鉛直面に対して右モーター箱７０Ｒと対称の構造であるため、各部位について、右モーター箱７０Ｒにおける各部位の名称「右」を「左」に、各部位の符号「Ｒ」を「Ｌ」に読み替えたものに同じであるから、説明を省略する。
【００２０】
（中間支持体）
図５において、中間支持体８０は、風路前壁３１に設置される際、風路前壁３１に当接する支持体基部８１と、支持体基部８１に立設された前支持体腕８２ａおよび後支持体腕８２ｂとを具備している。そして、前支持体腕８２ａの先端部には左右方向に突出した左前支持軸受８３Ｌａおよび右前支持軸受８３Ｒａが設置され、後支持体腕８２ｂの先端部には左右方向に突出した左後支持軸受８３Ｌｂおよび右後支持軸受８３Ｒｂが設置されている。
【００２１】
（上下風向板の設置要領）
次に、上下風向板５０の設置要領について、右上下風向板５０Ｒを例にして説明する。
まず、風路前壁３１に中間支持体８０を設置する。このとき、設置要領は限定するものではなく、風路前壁３１の前壁支持体設置部３１Ｃまたは中間支持体８０の支持体基部８１の一方または両方に凹凸部や係止部を設けて両者を嵌合したり、ネジ／ネジ孔を設けて両者を接合してもよい。さらに、中間支持体８０を風路前壁３１に一体的に成形してもよい。
そして、右前上下風向板５０Ｒａに設けられた右前風向板軸５７Ｒａ（左右方向の左側）および右前風向板軸５５Ｒａ（左右方向の中央）を、中間支持体８０の右前支持軸受８３Ｒａおよび風路前壁３１に設けられた右前壁支持軸受３５Ｒａにそれぞれ挿入し、揺動自在に支持させる。同様に、右後上下風向板５０Ｒｂに設けられた右後風向板軸５７Ｒｂ（左右方向の左側）および右後風向板軸５５Ｒｂ（左右方向の中央）を、中間支持体８０の右後支持軸受８３Ｒｂおよび風路前壁３１に設けられた右後壁支持軸受３５Ｒｂにそれぞれ挿入し、揺動自在に支持させる（図６の（ａ）参照）。
【００２２】
さらに、右モーター基板７１Ｒの右モーター基板端部７４Ｒ（左右方向の左側に位置している）を風路前壁３１の前壁右端部３１Ｒに当接し、右前上下風向板５０Ｒａに設けられた右前風向板軸受５３Ｒａ（左右方向の右側）と右前駆動モーター７２Ｒａの右前駆動軸７７Ｒａとを相対回転不能に連結し、同様に、右後上下風向板５０Ｒｂに設けられた右後風向板軸受５３Ｒｂ（左右方向の右側）と右後駆動モーター７２Ｒｂの右後駆動軸７７Ｒｂとを相対回転不能に連結する（図６の（ｂ）参照）。そして、設置用ボルト孔７６Ｒに挿入した設置用ボルト（図示しない）によって、右モーター箱７０Ｒを風路前壁３１に設置する（図６の（ｂ）参照）。
【００２３】
このとき、中間支持体８０の右前支持軸受８３Ｒａの中心と風路前壁３１の右前風向板軸５５Ｒａの中心とを結ぶ線（仮想線）上に、右モーター箱７０Ｒの右前モーター収納部７３Ｒａの中心が一致すると共に、中間支持体８０の右後支持軸受８３Ｒｂの中心と風路前壁３１の右後風向板軸５５Ｒｂの中心とを結ぶ線（仮想線）上に、右モーター箱７０Ｒの右後モーター収納部７３Ｒｂの中心を一致させ、かかる一対の仮想線が平行で、共に、筐体１０の左右方向（送風ファン３０の回転軸の軸心方向）と平行になるように右モーター箱７０Ｒの設置位置を調整する（必要に応じて、中間支持体８０の設置位置を調整してもよい）。
【００２４】
したがって、風路前壁３１に反りや捩れがある場合であっても、右前支持軸受８３Ｒａと右前モーター収納部７３Ｒａと位置関係、および右後支持軸受８３Ｒｂと右後モーター収納部７３Ｒｂとの位置関係を、正規の位置関係にすることができる。
よって、右上下風向板５０Ｒの傾動（揺動）が円滑で自然になる。また、右前上下風向板５０Ｒａと右後上下風向板５０Ｒｂとの位置関係が正規位置になるため、側縁部同士の重なりや側縁部同士の隙間が均一になるから、室内機１００の外観の意匠性が阻害されることがなくなる。このため、成形金型を修正したり、再製作したりする必要がなくなるから、製造コスト（成形金型コスト）の上昇や工期の延長が押さえられる。
【００２５】
さらに、左上下風向板５０Ｌについても同様に、左モーター基板７１Ｌの左モーター基板端部７４Ｌ（左右方向の右側に位置している）を風路前壁３１の前壁左端部３１Ｌに当接し、左モーター箱７０Ｌを風路前壁３１に設置する。
このとき、中間支持体８０の左前支持軸受８３Ｌａの中心、風路前壁３１の左前風向板軸５５Ｌａの中心および左モーター箱７０Ｌの左前モーター収納部７３Ｌａの中心を結ぶ線（仮想線）と、中間支持体８０の左後支持軸受８３Ｌｂの中心、風路前壁３１の左後風向板軸５５Ｌｂの中心および左モーター箱７０Ｌの左後モーター収納部７３Ｌｂの中心を結ぶ線（仮想線）とが平行で、共に、筐体１０の左右方向（送風ファン３０の回転軸の軸心方向）と平行になるように左モーター箱７０Ｌの設置位置を調整する（必要に応じて、中間支持体８０の設置位置を調整してもよい）。
よって、左上下風向板５０Ｌの傾動（揺動）が円滑で、自然になると共に、室内機１００の外観の意匠性が阻害されることがなくなる。このため、成形金型を修正したり、再製作したりする必要がなくなるから、製造コスト（成形金型コスト）の上昇や工期の延長が押さえられる。
【００２６】
なお、以上において、互いに当接する（揺動自在に支持する、または相対回転不能に嵌合する）軸および軸受は、何れか一方に軸が、何れか他方に軸受が設けられていれば良いから、軸を軸受と、また、軸受を軸とそれぞれ読み替えてもよい（例えば、右前風向板軸受５３Ｒａを「右前風向板軸」として、右前駆動軸受７７Ｒａを「右前駆動軸」としてもよい）。
さらに、以上は、左モーター箱７０Ｌと右モーター箱７０Ｒとの両方が、風路前壁３１と別個に成形される場合を示しているが、本発明はこれに限定するものではなく、例えば、左モーター箱７０Ｌまたは右モーター箱７０Ｒの一方を風路前壁３１と一体的に成形し、左モーター箱７０Ｌまたは右モーター箱７０Ｒの他方と中間支持体８０を別個に成形するようにしてもよい。
【００２７】
さらに、以上は、左右方向に２枚で、前後方向で２枚の合計４枚の上下風向板５０が配置されているが、本発明はこれに限定するものではなく、例えば、左右方向が１枚に繋がり、前後方向の２枚に集約されたものであってもよい。このとき、中間支持体８０を撤去し、左モーター箱７０Ｌまたは右モーター箱７０Ｒの一方における左モーター収納部７３Ｌまたは右モーター収納部７３Ｒを揺動（回転）フリー、すなわち、左駆動モーター７２Ｌまたは右駆動モーター７２Ｒから切り離すことになる。
【産業上の利用可能性】
【００２８】
本発明によれば、エアーフィルター裏面に付着した塵埃を除去すると共に、除去された塵埃を回収することができるから、各種空気調和機の室内機はもとより、各種送風機に設置されるエアーフィルターのエアーフィルター清掃装置として広く利用することができる。
【符号の説明】
【００２９】
１０：筐体、１１：筐体上面、１２：筐体後面、１３：筐体下面、１４：筐体前面、１５Ｌ：筐体端面、１５Ｒ：筐体端面、１６：吸込口、１７：吹出口、１８：フィルター、１９：意匠パネル、２０：熱交換器、２０ａ：熱交換器前部分、２０ｂ：熱交換器後部分、２１ａ：前ドレン受け、２１ｂ：後ドレン受け、３０：送風ファン、３１：風路前壁、３１Ｃ：前壁支持体設置部、３１Ｌ：前壁左端部、３１Ｒ：前壁右端部、３２：風路後壁、３３：吹出風路、３４Ｌａ：左前壁支持腕、３４Ｌｂ：左後壁支持腕、３４Ｒａ：右前壁支持腕、３４Ｒｂ：右後壁支持腕、３５Ｌａ：左前壁支持軸受、３５Ｌｂ：左後壁支持軸受、３５Ｒａ：右前壁支持軸受、３５Ｒｂ：右後壁支持軸受、４０Ｌ：左側左右風向板、４０Ｒ：右側左右風向板、４１：羽根、４２：回転軸、５０Ｌａ：左前上下風向板、５０Ｌｂ：左後上下風向板、５０Ｒａ：右前上下風向板、５０Ｒｂ：右後上下風向板、５１Ｌ：左板部、５１Ｒ：右板部、５２Ｌａ：左前風向板腕、５２Ｌｂ：左後風向板腕、５２Ｒａ：右前風向板腕、５２Ｒｂ：右後風向板腕、５３Ｌａ：左前風向板軸受、５３Ｌｂ：左後風向板軸受、５３Ｒａ：右前風向板軸受、５３Ｒｂ：右後風向板軸受、５４Ｌａ：左前風向板腕、５４Ｌｂ：左後風向板腕、５４Ｒａ：右前風向板腕、５４Ｒｂ：右後風向板腕、５５Ｌａ：左前風向板軸、５５Ｌｂ：左後風向板軸、５５Ｒａ：右前風向板軸、５５Ｒｂ：右後風向板軸、５６Ｌａ：左前風向板腕、５６Ｌｂ：左後風向板腕、５６Ｒａ：右前風向板腕、５６Ｒｂ：右後風向板腕、５７Ｌａ：左前風向板軸、５７Ｌｂ：左後風向板軸、５７Ｒａ：右前風向板軸、５７Ｒｂ：右後風向板軸、７０Ｌ：左モーター箱、７０Ｒ：右モーター箱、７１Ｌ：左モーター基板、７１Ｒ：右モーター基板、７２Ｌａ：左前駆動モーター、７２Ｌｂ：左後駆動モーター、７２Ｒａ：右前駆動モーター、７２Ｒｂ：右後駆動モーター、７３Ｌａ：左前モーター収納部、７３Ｌｂ：左後モーター収納部、７３Ｒａ：右前モーター収納部、７３Ｒｂ：右後モーター収納部、７４Ｌ：左モーター基板端部、７４Ｒ：右モーター基板端部、７５Ｒ：設置用フランジ、７６Ｒ：設置用ボルト孔、７７Ｒａ：右前駆動軸、７７Ｒｂ：右後駆動軸、８０：中間支持体、８１：支持体基部、８２ａ：前支持体腕、８２ｂ：後支持体腕、８３Ｌａ：左前支持軸受、８３Ｌｂ：左後支持軸受、８３Ｒａ：右前支持軸受、８３Ｒｂ：右後支持軸受、１００：室内機。
【図１】
0005496051.tif 000002
【図２】
0005496051.tif 000003
【図３】
0005496051.tif 000004
【図４】
0005496051.tif 000005
【図５】
0005496051.tif 000006
【図６】
0005496051.tif 000007